(57)【要約】【課題】液晶テレビジョンとプラズマテレビジョンの回路構成の違いを考慮しつつ、多様な仕向地に対応可能、かつノイズの影響を受けにくい液晶パネル、プラズマ表示パネルおよび液晶テレビジョンを提供する。【解決手段】デジタル基板Ａに映像信号処理回路１２を、ジャック基板Ｂに入出力回路１４を、アナログ基板Ｃに音声信号処理回路１６と電源回路２０を、インバータ基板Ｄに整流回路２２とインバータ回路２４を、それぞれ形成する。そして、ＬＣＤ２６背面において、インバータ基板Ｄを左側方下端に上下に長く配向して配置し、アナログ基板Ｃを中央下方に配置するとともにこのアナログ基板Ｃに隣接する中央上方にデジタル基板Ａを配置し、ジャック基板Ｂを右側方上方に配置する。【選択図】図５
2008078748.tif 000002
【特許請求の範囲】
【請求項１】
デジタル放送を受信してデジタルの映像信号を出力するチューナと、デジタルの映像音声信号が入出力可能なＨＤＭＩ端子と、ＡＣ電源ケーブルを介して入力される交流電圧を整流して直流電圧を生成する整流回路と、上記整流回路から直流電圧を供給されて各種電圧を生成する電源回路と、入力される映像信号や音声信号をアナログ処理するアナログ回路と、上記チューナまたは上記ＨＤＭＩ端子より入力される映像信号をデジタル処理するデジタル回路と、該デジタル回路からＬＶＤＳケーブルを介して液晶パネルを駆動するパネル駆動信号を出力するＬＶＤＳ端子と、外部機器と接続されて映像や音声を入出力する入出力端子を備える入出力回路と、上記整流回路から直流電圧を供給されて該液晶パネルのバックライトに交流電圧を供給するインバータ回路と、が基板上に形成され、
上記パネル駆動信号に従って画面に映像を表示する液晶パネルと、上記基板と上記液晶パネルとを収容しつつ上記液晶パネルの画面を露出させるキャビネットと、を備えて、上記基板が上記液晶パネルの背面に配置される２０インチ以上のワイド型液晶テレビジョンにおいて、
上記チューナと上記ＨＤＭＩ端子とＬＶＤＳ端子が配置されるとともに上記デジタル回路が形成された第一基板と、上記入出力回路が形成された第二基板と、上記アナログ回路と上記電源回路とが形成された第三基板と、上記整流回路と上記インバータ回路が形成される第四基板と、を備え、
上記第一基板と上記第二基板と上記第三基板とはプラズマ表示パネルに使用される基板とそれぞれ同一であり、
上記第四基板は左側方に上下に長く配向して配置され、
上記第三基板と上記第一基板とのプラズマ表示パネルの背面に配置されるときの相対位置関係を維持しつつ、該第三基板が中央下方に配置されるとともに該第三基板に隣接する中央上方に該第一基板が配置され、
上記第二基板が上記第四基板に対して上記第一基板を挟んだ右側方に配置され、
上記キャビネットは、左右方向において中央部が背面側に突出するように形成されており、該突出により形成される右側の段差部分からは、上記チューナの端子と上記ＨＤＭＩ端子とが右側方に向かって露出し、該キャビネットの背面右上方には上記入出力端子が露見しており、該キャビネットの背面左下からは上記ＡＣ電源ケーブルが延出される
ことを特徴とするワイド型液晶テレビジョン。
【請求項２】
入力される交流電圧を整流して直流電圧を生成する整流回路と、上記整流回路から直流電圧を供給されて各種電圧を生成する電源回路と、入力される映像信号や音声信号をアナログ処理するアナログ回路と、入力される映像信号をデジタル処理するデジタル回路と、外部機器と接続されて映像や音声を入出力する入出力端子を備える入出力回路と、上記整流回路から直流電圧を供給されて該液晶パネルのバックライトに交流電圧を供給するインバータ回路と、が基板上に形成され、該基板が背面に配置される液晶パネルにおいて、
プラズマ表示パネルに使用される基板とそれぞれ同一の、上記デジタル回路が形成された第一基板と、上記入出力回路が形成された第二基板と、上記アナログ回路と上記電源回路とが形成された第三基板と、上記整流回路が形成された第四基板と、を備え、
上記第四基板は左右側方のいずれかの下端に配置され、上記インバータ回路が形成されるインバータ基板が上記整流回路の上方に上下に長く配向して配置され、上記第三基板と上記第一基板とがプラズマ表示パネルの背面に配置されるときの相対位置関係を維持しつつ上記第三基板を中央下方に配置するとともに該第三基板に隣接する中央上方に上記第一基板を配置し、上記第二基板を上記第四基板に対して上記第一基板を挟んだ側方に配置することを特徴とする液晶パネル。
【請求項３】
上記第四基板と上記インバータ基板とは同一の基板上に形成されることを特徴とする上記請求項２に記載の液晶パネル。
【請求項４】
入力される交流電圧を整流して直流電圧を生成する整流回路と、上記整流回路から直流電圧を供給されて各種電圧を生成する電源回路と、入力される映像信号や音声信号をアナログ処理するアナログ回路と、入力される映像信号をデジタル処理するデジタル回路と、外部機器と接続されて映像や音声を入出力する入出力端子を備える入出力回路と、が基板上に形成され、該基板が背面に配置されるプラズマ表示パネルにおいて、
液晶パネルに使用される基板とそれぞれ同一の、上記デジタル回路が形成された第一基板と、上記入出力回路が形成された第二基板と、上記アナログ回路と上記電源回路とが形成された第三基板と、上記整流回路が形成された第四基板と、を備え、
液晶パネルの背面に配置されるときの相対位置関係を維持しつつ上記第一基板と上記第三基板とを並べて中央下方に配置し、上記第三基板に隣接しないように上記第二基板を上記第一基板の左右側方のいずれかに配置し、上記第四基板を上記第一基板と上記第三基板の左右側方のいずれかに配置することを特徴とするプラズマ表示パネル。
【請求項５】
上記第一基板と上記第三基板は、液晶パネルの背面に配置されるときの相対位置関係を維持しつつ左右方向に並べて配置されることを特徴とする上記請求項４に記載のプラズマ表示パネル。
【請求項６】
上記整流回路は、前段にラインフィルタを備えることを特徴とする上記請求項４または請求項５に記載のプラズマ表示パネル。
【発明の詳細な説明】
【技術分野】
【０００１】
本発明は、液晶パネル、プラズマ表示パネルおよびワイド型液晶テレビジョンに関する。
【背景技術】
【０００２】
近年、液晶テレビジョンやプラズマテレビジョンといったパネル型テレビジョンの普及は目ざましいものがある。これらのパネル型テレビジョンにおいて、映像信号処理機能や音声信号処理機能、電源回路や入出力回路では、双方に共通な機能を持ち合わせながら、各々独自の設計で製作されていた。これは、各々で最適な回路部品とそのレイアウトとが考慮されたためであった。しかしながらこの設計手法では、設計工数が増加するため設計効率の向上を妨げることになっていた。むろん、各パネル型テレビジョンでは、２６インチと２７インチのようにサイズの近いものでは基板や部品の共通化が行われていた。
【０００３】
このように基板や部品の共通化を図る技術として以下のものが知られている。即ち、特許文献１には、課金放送を受信可能なデジタル回路基板と課金放送を受信できないデジタル回路基板とに共通なＡＶ回路基板を用いる技術が記載されている。また、特許文献２には、端子配列の異なるチューナの取り付け穴をそれぞれ形成し、対応する取り付け穴同士を接続することにより基板を共通化する技術が開示されている。また、特許文献３には、デジタルテレビとデジタルテレビ−セットトップボックス相互に共通する回路部品を第一の基板に、各々に特有な回路部品が搭載される第二の基板にそれぞれ形成して接続配線体により接続する技術が記載されている。
【特許文献１】特開２００６−１２９１６７号公報
【特許文献２】特開２００３−１１０９６５号公報
【特許文献３】特開２００３−６１００９号公報
【発明の開示】
【発明が解決しようとする課題】
【０００４】
従来、各パネル型テレビジョンでは基板や部品の共通化が行われていたが、液晶テレビジョンとプラズマテレビジョンで基板構成を共通化することは行われていなかった。これは以下の理由によるものである。
【０００５】
まず、一方では必要だが、他方には不要な回路が存在するために、設計の共通化が困難であることが挙げられる。例えば、液晶テレビジョンにはインバータ回路が必要であり、また、それ専用に電源が必要であるが、プラズマテレビジョンではインバータ回路は不要である等である。
【０００６】
また、基板構成の共通化を行うためには、仕向地やノイズの問題も存在する。現在、テレビの仕向地は多国籍化しており、例えば日本、欧州、米国が仕向地となることがあり、各国の放送方式に合わせるために大幅な設計変更が必要となっていた。また、デジタル処理回路はノイズの影響を受けにくいが、アナログの入出力回路などを伝送する信号はノイズの影響を受けやすく、ノイズ源となりやすいインバータ回路や電源回路とは離して設計する必要があった。
【０００７】
本発明は上記課題に鑑みてなされたもので、液晶テレビジョンとプラズマテレビジョンの回路構成の違いを考慮しつつ、多様な仕向地に対応可能、かつノイズの影響を受けにくい液晶パネル、プラズマ表示パネルおよびワイド型液晶テレビジョンを提供することを目的とする。
【課題を解決するための手段】
【０００８】
上記課題を解決するために、本発明の液晶パネルでは、入力される交流電圧を整流して直流電圧を生成する整流回路と、上記整流回路から直流電圧を供給されて各種電圧を生成する電源回路と、入力される映像信号や音声信号をアナログ処理するアナログ回路と、入力される映像信号をデジタル処理するデジタル回路と、外部機器と接続されて映像や音声を入出力する入出力端子を備える入出力回路と、上記整流回路から直流電圧を供給されて該液晶パネルのバックライトに交流電圧を供給するインバータ回路と、が基板上に形成され、該基板が背面に配置される液晶パネルにおいて、プラズマ表示パネルに使用される基板とそれぞれ同一の、上記デジタル回路が形成された第一基板と、上記入出力回路が形成された第二基板と、上記アナログ回路と上記電源回路とが形成された第三基板と、上記整流回路が形成された第四基板と、を備え、上記第四基板は左右側方のいずれかの下端に配置され、上記インバータ回路が形成されるインバータ基板が上記整流回路の上方に上下に長く配向して配置され、上記第三基板と上記第一基板とがプラズマ表示パネルの背面に配置されるときの相対位置関係を維持しつつ上記第三基板を中央下方に配置するとともに該第三基板に隣接する中央上方に上記第一基板を配置し、上記第二基板を上記第四基板に対して上記第一基板を挟んだ側方に配置する構成としてある。
【０００９】
この構成により、上記液晶パネルの背面には、プラズマ表示パネルにも使用される第一基板と第二基板と第三基板と第四基板とが配置される。上記第四基板と上記インバータ基板とは、第四基板が下となるように、上記液晶パネル背面の左右いずれかの側方において上下に長く配向して配置される。無論、第四基板とインバータ基板は同一の基板上に形成されても構わない。
【００１０】
これら第一〜第四基板はそれぞれ別基板として構成されるため、それぞれで設計可能となり、映像信号の方式が異なる場合は第一基板のみの設計し直しで対応することが可能になる。上記第一基板と上記第三基板はプラズマ表示パネルの背面に配置されるときとその相対位置関係が略同一となるように配置される。即ち、プラズマ表示パネルと液晶パネルとで同一の基板と略同一の相対位置関係で利用可能となるため、第一基板と第三基板とを予めユニット化しておき、組立作業を低減できる。
【００１１】
また、上記課題を解決するために、本発明のプラズマ表示パネルでは、入力される交流電圧を整流して直流電圧を生成する整流回路と、上記整流回路から直流電圧を供給されて各種電圧を生成する電源回路と、入力される映像信号や音声信号をアナログ処理するアナログ回路と、入力される映像信号をデジタル処理するデジタル回路と、外部機器と接続されて映像や音声を入出力する入出力端子を備える入出力回路と、が基板上に形成され、該基板が背面に配置されるプラズマ表示パネルにおいて、液晶パネルに使用される基板とそれぞれ同一の、上記デジタル回路が形成された第一基板と、上記入出力回路が形成された第二基板と、上記アナログ回路と上記電源回路とが形成された第三基板と、上記整流回路が形成された第四基板と、を備え、液晶パネルの背面に配置されるときの相対位置関係を維持しつつ上記第一基板と上記第三基板とを並べて中央下方に配置し、上記第三基板に隣接しないように上記第二基板を上記第一基板の左右側方のいずれかに配置し、上記第四基板を上記第一基板と上記第三基板の左右側方のいずれかに配置する構成としてある。
【００１２】
この構成により、上記プラズマ表示パネルの背面には、液晶パネルにも使用される第一基板と第二基板と第三基板と第四基板とが配置される。これら第一〜第四基板はそれぞれ別基板として構成されるため、それぞれで設計可能となり、映像信号の方式が異なる場合は第一基板のみの設計し直しで対応することが可能になる。上記第一基板と上記第三基板は液晶パネルの背面に配置されるときとその相対位置関係が略同一となるように配置される。即ち、液晶パネルと液晶パネルとで同一の基板と略同一の相対位置関係で利用可能となるため、第一基板と第三基板とを予めユニット化しておき、組立作業を低減できる。
【００１３】
また、上記プラズマ表示パネルにおける上記第一基板と上記第三基板は、液晶パネルの背面に配置されるときの相対位置関係を維持しつつ左右方向に並べて配置される構成としても構わない。これにより、プラズマ表示パネル背面のスペースに応じて様々なレイアウトが可能になる。
【００１４】
また、上記プラズマ表示パネルにおける上記整流回路は、前段にラインフィルタを備える構成としても構わない。これにより、ＡＣ電源ラインに接続される回路からのノイズや、ＡＣ電源ラインの拾う放射ノイズ、ＡＣ電源の品質の問題の問題によるノイズ等により生ずるコモンモードノイズやディファレンシャルモードノイズなどを低減することができ、整流回路に接続される回路をノイズから守ると共に整流回路から出力される電源電圧の品質を向上させることが出来る。
【００１５】
また、より具体的な構成として、デジタル放送を受信してデジタルの映像信号を出力するチューナと、デジタルの映像音声信号が入出力可能なＨＤＭＩ端子と、ＡＣ電源ケーブルを介して入力される交流電圧を整流して直流電圧を生成する整流回路と、上記整流回路から直流電圧を供給されて各種電圧を生成する電源回路と、入力される映像信号や音声信号をアナログ処理するアナログ回路と、上記チューナまたは上記ＨＤＭＩ端子より入力される映像信号をデジタル処理するデジタル回路と、該デジタル回路からＬＶＤＳケーブルを介して液晶パネルを駆動するパネル駆動信号を出力するＬＶＤＳ端子と、外部機器と接続されて映像や音声を入出力する入出力端子を備える入出力回路と、上記整流回路から直流電圧を供給されて該液晶パネルのバックライトに交流電圧を供給するインバータ回路と、が基板上に形成され、上記パネル駆動信号に従って画面に映像を表示する液晶パネルと、上記基板と上記液晶パネルとを収容して上記液晶パネルの画面を露出させる樹脂製のキャビネットと、を備え、上記基板が上記液晶パネルの背面に配置される２０インチ以上のワイド型液晶テレビジョンにおいて、上記チューナと上記ＨＤＭＩ端子とＬＶＤＳ端子が配置されるとともに上記デジタル回路が形成された第一基板と、上記入出力回路が形成された第二基板と、上記アナログ回路と上記電源回路とが形成された第三基板と、上記整流回路と上記インバータ回路が形成される第四基板と、を備え、上記第一基板と上記第二基板と上記第三基板とはプラズマ表示パネルに使用される基板とそれぞれ同一であり、上記第四基板は左側方に上下に長く配向して配置され、上記第三基板と上記第一基板とのプラズマ表示パネルの背面に配置されるときの相対位置関係を維持しつつ、該第三基板が中央下方に配置されるとともに該第三基板に隣接する中央上方に該第一基板が配置され、上記第二基板が上記第四基板に対して上記第一基板を挟んだ右側方に配置され、上記キャビネットは、左右方向において中央部が背面側に突出するように形成されており、該突出により形成される右側の段差部分からは、上記チューナの端子と上記ＨＤＭＩ端子とが右側方に向かって露出し、該キャビネットの背面右上方には上記入出力端子が露見しており、該キャビネットの背面左下からは上記ＡＣ電源ケーブルが延出される構成としてある。
【発明の効果】
【００１６】
以上説明したように本発明の請求項２にかかる発明によれば、プラズマ表示パネルと共通に利用可能な基板構成として機種依存を無くしつつ、放送方式の異なる多様な仕向地に容易かつ短納期で対応可能とし、かつノイズの影響を受けにくい液晶パネルを提供することが可能となる。従って開発効率が向上し、またコストダウンに繋がる。
【００１７】
また請求項３にかかる発明によれば、整流回路とインバータ回路とを一基板上に形成したため、組立作業の工程を減少し、コストダウンに繋がる。
そして請求項４にかかる発明によれば、液晶パネルと共通に利用可能な基板構成として機種依存を無くしつつ、放送方式の異なる多様な仕向地に容易かつ短納期で対応可能とし、かつノイズの影響を受けにくいプラズマ表示パネルを提供することが可能となる。従って開発効率が向上し、またコストダウンに繋がる。
さらに請求項５にかかる発明によれば、プラズマ表示パネル背面のスペースに応じて様々なレイアウトが可能になる。
また請求項６にかかる発明によれば、ＡＣ電源のノイズを低減することができ、整流回路に接続される回路をノイズから守ると共に整流回路から出力される電源電圧の品質を向上させることが出来る。
さらに請求項１のような、より具体的な構成において、上述した請求項２〜請求項３の各発明と同様の作用を奏することはいうまでもない。
【発明を実施するための最良の形態】
【００１８】
以下、下記の順序に従って本発明の実施形態を説明する。
（１）液晶テレビジョンの構成：
（２）プラズマテレビジョンの構成：
（３）液晶テレビジョンの基板配置：
（４）プラズマテレビジョンの基板配置：
（５）まとめ：
【００１９】
（１）液晶テレビジョンの構成： 
図１は本発明の実施形態にかかる液晶テレビジョン１００の概略構成を示したブロック図である。本発明は、プラズマテレビジョンと基板を共通化するため、２０インチ以上のワイド型液晶テレビジョンに適用すると好適である。同図において、液晶テレビジョン１００は、チューナ１０と、映像信号処理回路１２と、入出力回路１４と、音声信号処理回路１６と、スピーカ１８と、電源回路２０と、整流回路２２と、インバータ回路２４と、液晶ディスプレイ（ＬＣＤ）２６とから構成される。
【００２０】
チューナ１０は、アンテナ１０ａを介して受信されるテレビ放送信号から選択されているチャンネルのテレビ放送信号を抽出し、出力する。受信するテレビ放送信号としてはアナログ放送であってデジタル放送であっても構わない。アナログのテレビ放送信号を受信すると、チューナ１０もしくは後述する映像信号処理回路１２にてＡ／Ｄ変換されてデジタル化される。
【００２１】
入出力回路１４には外部入力や外部出力もしくは外部入出力を行う端子が接続されている。具体的には、アナログのコンポジット信号が入力される端子や、デジタルの映像音声信号が入出力可能なＨＤＭＩ（エイチディーエムアイ・ライセンシング，エルエルシーの登録商標）端子１２ａが接続される。無論、コンポーネント信号やＳビデオ信号が入力される端子やＳ／ＰＤＩＦ端子等を備えても構わない。入出力回路１４に外部から入力された映像／音声信号は、映像信号処理回路１２に出力される。また入出力回路１４には映像信号処理回路１２から映像信号や音声信号が供給され、入出力回路１４の外部出力を行う端子に接続されたケーブルを介して外部機器に出力される。
【００２２】
映像信号処理回路１２はデジタルで処理を行う１チップＩＣであり、Ａ／Ｄ変換部、ビデオデコーダ（Ｖ／Ｄ）、スケーラ、タイミングコントローラ（Ｔcont）から構成される。Ａ／Ｄ変換部は、入出力回路１４から入力されるアナログ映像音声信号をデジタル映像音声信号に変換する。Ｖ／Ｄは、デジタル映像音声信号から映像信号と音声信号の分離を行い、分離された音声信号を音声信号処理回路に出力するとともに、分離された映像信号からＲ，Ｇ，Ｂの３原色信号を復調する。また、ビデオデコーダ１６ｂは、ＲＧＢの映像信号に、色の濃さ調整、コントラスト調整、ＴＩＮＴ調整、ブライト調整、肌色補正等の色彩調整、白黒伸長調整、遅延調整、シャープネス調整、ガンマ補正、ノイズ除去、等の画質調整処理を行い、スケーラに出力する。スケーラは、連続するインターレース形式の映像信号をプログレッシブ形式の映像信号に変換し、入力されたデジタル映像信号を、ＬＣＤ２６が有する画面の画素数（横縦比、ｍ：ｎ）に合致するようにスケーリング処理を行い、ＬＣＤ２６に表示する１画面分の画像データを生成して、生成された画像データをＴcontに出力する。Ｔcontは、入力された画像データに基づいてパネル駆動信号を出力し、画素の配列により構成されたＬＣＤ２６の各画素を駆動してＬＣＤ２６の画面に画像データに基づく映像を表示させる。
【００２３】
音声信号処理回路１６は、デジタル音声信号が入力されると所定のＤ／Ａ変換部によってアナログ音声信号に変換し、同アナログ音声信号をアナログ処理し、不図示のアンプにて増幅した後スピーカ１８に出力して音声出力させる。
【００２４】
整流回路２２は、外部電源（商用電源等。）からＡＣ電源ケーブル２２ａを介して電源電圧（交流）を入力されて、この電源電圧を所定の直流電圧に変換してインバータ回路２４および電源回路２０に供給する。
電源回路２０は、整流回路２２から供給された直流電圧をインバータ回路２４を除く各回路へ供給する。
【００２５】
インバータ回路２４は、整流回路２２から供給された直流電圧を高周波の交流電圧に変換し、駆動信号としての交流電圧をＬＣＤ２６の備えるバックライトに供給し、バックライトを点灯させる。
【００２６】
（２）プラズマテレビジョンの構成： 
図２は本発明の実施形態にかかるプラズマテレビジョン２００の概略構成を示したブロック図である。同図において、プラズマテレビジョン２００は、チューナ１０と、映像信号処理回路１２と、入出力回路１４と、音声信号処理回路１６と、スピーカ１８と、電源回路２０と、整流回路２２と、プラズマディスプレイパネル（ＰＤＰ）３４、サステイン電圧生成回路３２と、スキャン電圧生成回路３０と、メイン電圧生成回路２８とから構成される。
【００２７】
チューナ１０、映像信号処理回路１２、入出力回路１４、音声信号処理回路１６、の構成については上述した液晶テレビジョン１００と同一であるため説明は割愛する。
【００２８】
整流回路２３は、外部電源（商用電源等。）からＡＣ電源ケーブル２３ａを介して電源電圧（交流）を入力されて、この電源電圧を所定の直流電圧に変換して電源回路２０およびメイン電圧生成回路２８に供給する。
電源回路２０は、整流回路２３から供給された直流電圧をメイン電圧生成回路２８とスキャン電圧生成回路３０とサステイン電圧生成回路３２とを除く各回路へ供給する。
【００２９】
メイン電圧生成回路２８は、整流回路２３から供給された直流電圧からサステイン電圧とスキャン電圧を生成するための電圧を生成してサステイン電圧生成回路３２とスキャン電圧生成回路３０にそれぞれ供給する。
【００３０】
サステイン電圧生成回路３２とスキャン電圧生成回路３０は、それぞれサステイン電圧Ｖsusとスキャン電圧Ｖscanを生成し、ＰＤＰ３４に多数備えられるセルにおける維持電極と走査電極にそれぞれ供給される。本実施形態のＰＤＰ３４では、走査電極と維持電極間にパルス電圧を加えることにより、ＰＤＰ４０の表示面方向に放電を起こさせる面放電方式を採用している。
【００３１】
（３）液晶テレビジョンの基板配置： 
以下、図３、図５を参照して液晶テレビジョン１００の基板配置について説明する。図３は液晶テレビジョン１００を背面から見て示した斜視図、図５は液晶テレビジョン１００の背面内部における基板配置を模式的に示した図である。
【００３２】
図５において、外枠は液晶テレビジョン１００内部のＬＣＤ２６背面外形を示している。ＬＣＤ２６背面にはデジタル基板Ａ（第一基板）、ジャック基板Ｂ（第二基板）、アナログ基板Ｃ（第三基板）、インバータ基板Ｄ（第四基板）が配置されている。以下、各基板の位置関係と、各基板に搭載される回路について説明する。
【００３３】
デジタル基板ＡはＬＣＤ２６背面において上方中央に配置されて、主に映像信号処理回路１２が搭載され、基板右上にコネクタ部を右向きに配向させてＨＤＭＩ端子１２ａが接続されると共に、基板右下にコネクタ部を右向きに配向したチューナが配置される。また上縁にＬＶＤＳケーブルが接続されるＬＶＤＳ端子１２ｂが配置され、映像信号処理回路１２で処理された映像信号に基づく駆動信号がＬＣＤ２６に出力される。
【００３４】
このデジタル基板Ａでは、処理をデジタルで行うとともに多層基板で構成される。つまり、デジタル信号ゆえにノイズ耐性が高く、多層基板の表層がグランドとなってシールドされるため、内部ノイズをシールドしつつ外来のノイズに強い特性を持つ。従って、高周波を扱うゆえにノイズ源となりやすいインバータ基板Ｄや、電源回路が搭載されてやはりノイズ源となりやすいアナログ基板Ｃが隣接して配置されても信号処理に問題が生じにくい。
【００３５】
また、仕向地（日本、欧州、米国等。）によりテレビ放送システム（ＮＴＳＣ、ＰＡＬ、ＳＥＣＡＭ等。）が異なるため、映像信号処理回路１２は仕向地毎に異なる回路構成となる。本実施形態では、映像信号処理回路１２をデジタル基板Ａとして独立した基板に形成しているため、異なる仕向地の製品を製造する際はデジタル基板Ａを入替えることで対応可能となる。これにより仕向地毎の設計変更の際は、デジタル基板Ａ単体での設計変更となり、開発が効率化して短納期で製品を提供可能となる。
【００３６】
ジャック基板Ｂには、入出力回路１４が搭載され、デジタル基板Ａの右側、即ちＬＣＤ２６背面において右上に配置される。このジャック基板Ｂにはコンポジット端子１４ａがコネクタ部を基板に対して垂直上方、即ち液晶テレビジョン１００の背面方向に向けて配置されている。ジャック基板Ｂは、所定のケーブルでデジタル基板Ａと接続されており、映像／音声信号や制御信号の入出力が行われる。ジャック基板Ｂにはノイズ放射しにくく、回路構成が複雑でないため、単層基板で作成される。
【００３７】
ジャック基板Ｂにおいても仕向地により信号の入出力を行う端子形状が異なるため、入出力回路１４を仕向地毎に異なる回路構成とする必要がある。本実施形態では、入出力回路１４をジャック基板Ｂとして独立した基板に形成しているため、異なる仕向地の製品を製造する際はジャック基板Ｂを入替えることで対応可能となる。これにより仕向地毎の設計変更の際は、ジャック基板Ｂ単体での設計変更となり、開発が効率化して短納期で製品を提供可能となる。映像信号処理回路１２と入出力回路１４とを別基板に形成したのは、デジタル基板Ａが多層基板であるのに対し、ジャック基板は単層基板を使用しているためである。即ち、映像信号処理回路１２と入出力回路１４の両者に多層基板を用いると映像信号処理回路１２から入出力回路１４への内部ノイズが懸念されるとともに多層基板ゆえのコストアップが避けられず、映像信号処理回路１２と入出力回路１４の両者に単層基板を用いると映像信号処理回路１２にシールドなどのノイズ対策を施す必要が生じるためである。
【００３８】
アナログ基板Ｃには、音声信号処理回路１６と電源回路２０とが搭載され、デジタル基板Ａに隣接した下側、即ちＬＣＤ６背面において中央下方に配置される。このアナログ基板Ｃはデジタル基板Ａと接続されており、デジタル基板Ａから音声信号が入力される。また、アナログ基板Ｃはインバータ基板Ｄとも接続されており、インバータ基板Ｄに配置される整流回路から直流電圧が供給され、この直流電圧に基づいて各種電圧を生成し、アナログ基板Ｃとデジタル基板Ａとジャック基板Ｂの各回路に電源電圧を供給する。
【００３９】
インバータ基板Ｄには、インバータ回路２４と整流回路２２とが搭載され、ＬＣＤ２６背面の左方に上下に長く配向して配置されており、デジタル基板Ａとアナログ基板Ｃに隣接している。無論、インバータ基板の配置場所は、ジャック基板Ｂが左方に配置されるならば右方に配置されてもよい。また整流回路２２に接続されるＡＣ電源ケーブル２２ａがインバータ基板Ｄの下端部に接続されている。つまり整流回路２２はインバータ回路の下端部に形成される。このインバータ基板Ｄでは、ＡＣ電源ケーブル２２ａを介して入力された交流電圧が整流回路２２で直流電圧に整流されてインバータ回路２４に供給される。インバータ回路２４では入力された直流電圧から高周波の交流電圧を生成し、不図示のインバータハーネスを介してＬＣＤ２６のバックライトに交流電流を流し、点灯させる。
【００４０】
以上のように配置された基板Ａ〜Ｄにより、液晶テレビジョン１００の背面からは図３のようにコネクタ類が露出する。即ち、液晶テレビジョン１００の背面のキャビネットは、内部に各基板とＬＣＤ２６とを収容しつつ、左右方向において中央部が背面側に突出するように形成されている。この突出により形成される右側の段差部分からは、デジタル基板Ａに配置されるチューナ端子とＨＤＭＩ端子１２ａとが右側方に向かって露出する。これによりチューナとＨＤＭＩとがキャビネット外部から接続可能になる。また、背面右上方にはジャック基板の入出力端子が露見しており、やはりキャビネット外部から接続が可能となっている。またインバータ基板Ｄの下端に接続されるＡＣ電源ケーブル２２ａはキャビネットの背面左下から延出される。
【００４１】
すなわち、ノイズ源となりやすい高周波を扱うインバータ基板Ｄを左方に配置し、ノイズに弱いジャック基板Ｂを右方に配置し、その間にノイズに強いデジタル基板Ａを配置する。また重量のある電源回路２０が搭載されたアナログ回路は、中央部のデジタル回路の下に配置され、製品の重量バランスを崩さないようにしてある。またインバータ回路に次いでノイズ源となりやすい電源回路が搭載されるアナログ基板Ｃは、ジャック基板Ｂに隣接しないように配置され、またアナログ基板Ｃの中でも電源回路は下方に配置されるためジャック基板Ｂが電源回路に起因するノイズの影響を受けにくくなっている。
【００４２】
（４）プラズマテレビジョン基板配置： 
以下、図４、図６を参照してプラズマテレビジョン２００の基板配置について説明する。図４はプラズマテレビジョン２００を背面から見て示した斜視図、図６はプラズマテレビジョン２００の背面内部における基板配置を模式的に示した図である。
【００４３】
図６において、外枠はプラズマテレビジョン２００内部のＰＤＰ３４背面外形を示している。ＰＤＰ３４背面にはデジタル基板Ａ（第一基板）、ジャック基板Ｂ（第二基板）、アナログ基板Ｃ（第三基板）、整流基板Ｄ’（第四基板、整流基板）、メイン電源基板Ｅ、サステイン電源基板Ｆ、スキャン電源基板Ｇ、が配置されている。デジタル基板Ａ、ジャック基板Ｂ、アナログ基板Ｃに搭載される回路は液晶テレビジョン１００の場合と同様である。以下、各基板の位置関係と、デジタル基板Ａとジャック基板Ｂとアナログ基板Ｃを除く他の基板に搭載される回路について説明する。
【００４４】
ＰＤＰ３４背面には、プラズマテレビジョン２００に必須の構成として、メイン電源基板Ｅとサステイン電源基板Ｆとスキャン電源基板Ｇとが配置される。メイン電源基板Ｅにはメイン電圧生成回路２８が形成され、サステイン電源基板Ｆにはサステイン電圧生成回路３２が形成され、スキャン電源基板Ｇにはスキャン電圧生成回路３０が形成される。メイン電源基板Ｅは、ＰＤＰ３４背面の上端に左右に長く配向して配置され、サステイン電源基板Ｆは右端に上下に長く配向して配置され、スキャン電源基板Ｇは左端に上下に長く配向して配置される。即ち、上端と左右両端には、基板Ｅ，Ｆ，Ｇ以外の基板を配置できない構造になっている。
【００４５】
デジタル基板Ａとアナログ基板ＣはＰＤＰ３４背面において中央下方に左右に並べて配置される。このとき、液晶テレビジョン１００のデジタル基板Ａとアナログ基板Ｃの相対位置関係をほぼ保ちつつ、右に約９０°回転させた位置関係とすると、デジタル基板とアナログ基板の接続が液晶テレビジョン１００の場合と同様となり好適である。換言すると、デジタル基板Ａが右側、アナログ基板が左側になるように、両者をＰＤＰ３４背面の中央下方に配置する。この配置により、チューナ１０とＨＤＭＩ端子１２ａのコネクタ部が下方に向くことになる。
【００４６】
ジャック基板Ｂは、サステイン電源基板Ｆとデジタル基板Ａの間に配置される。これによりジャック基板Ｂは電源回路２０との間にデジタル基板Ａを挟むことになり、電源回路２０からのノイズの影響を受けにくくなる。
【００４７】
整流基板Ｄ’は、整流回路２３のみが搭載される。ここで電源回路と整流回路とインバータ回路の関係を図７を参照して説明する。図７は、電源関係の回路の概略を示したブロック図であり、インバータ回路２４と整流回路２２、それに整流回路２３と電源回路２０を示してある。
【００４８】
図７において、インバータ回路２４と整流回路２２とはインバータ基板Ｄ上に形成され、整流回路２２から直流電圧の供給を受ける電源回路２０はアナログ基板Ｃ上に形成される。つまり整流回路２２と電源回路２０とは別基板上に形成され、ケーブルにより接続される。一方、整流回路２３は、整流基板Ｄ’上に形成される。つまり、インバータ基板Ｄは液晶テレビジョン１００にのみ搭載され、整流基板Ｄ’はプラズマテレビジョン２００にのみ搭載され、アナログ基板Ｃに形成される電源回路２０は液晶テレビジョン１００とプラズマテレビジョン２００の両方に搭載される。電源回路２０は、液晶テレビジョン１００に搭載される場合は整流回路２２から電圧供給を受け、プラズマテレビジョン２００に搭載される場合は整流回路２３から電圧供給を受ける。また、整流回路２３にはラインフィルタ２３ｂを整流素子２３ｃの前段に配し、電源回路２０の受けるノイズを低減してもよい。
【００４９】
以上のように配置された基板Ａ〜Ｃ、Ｄ’、Ｅ〜Ｇによりプラズマテレビジョン２００の背面からは図４のようにコネクタ類が露出する。即ち、プラズマテレビジョン２００の背面のキャビネットの下端からは、デジタル基板Ａに配置されるチューナ端子１０ａとＨＤＭＩ１２端子とが下側方に向かって露出する。これによりチューナとＨＤＭＩ端子とがキャビネット外部から接続可能になる。また、背面中央と右端の略中間にはジャック基板の入出力端子が露見しており、やはりキャビネット外部から接続が可能となっている。また整流基板Ｄ’の下端に接続されるＡＣ電源ケーブル２３ａはキャビネットの右下から延出される。
【００５０】
（５）まとめ： 
つまり、液晶テレビジョン１００においては、デジタル基板Ａに映像信号処理回路１２を、ジャック基板Ｂに入出力回路１４を、アナログ基板Ｃに音声信号処理回路１６と電源回路２０を、インバータ基板Ｄに整流回路２２とインバータ回路２４を、それぞれ形成する。そして、ＬＣＤ２６背面において、インバータ基板Ｄを左側方下端に上下に長く配向して配置し、アナログ基板Ｃを中央下方に配置するとともにこのアナログ基板Ｃに隣接する中央上方にデジタル基板Ａを配置し、ジャック基板Ｂを右側方上方に配置する。
【００５１】
また、プラズマテレビジョン２００においては、デジタル基板Ａに映像信号処理回路１２を、ジャック基板Ｂに入出力回路１４を、アナログ基板Ｃに音声信号処理回路１６と電源回路２０を、整流基板Ｄ’に整流回路２２を、それぞれ形成する。そしてＰＤＰ３４背面において、デジタル基板Ａが右となるとともにアナログ基板Ｃが左となるように左右に並べて中央下方に配置し、デジタル基板Ａの右側方のやや上方にジャック基板Ｂを配置し、整流基板Ｄ’をデジタル基板Ａの右側方やや下方に配置する。
【００５２】
これにより、液晶テレビジョンとプラズマテレビジョンの回路構成の違いを考慮しつつ、多様な仕向地に対応可能、かつノイズの影響を受けにくい液晶パネル、プラズマ表示パネルおよび液晶テレビジョンを提供することが出来る。
【００５３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５４】
【図１】本実施形態にかかる液晶テレビジョンの概略構成を示したブロック図である。
【図２】本実施形態にかかるプラズマテレビジョンの概略構成を示したブロック図である。
【図３】液晶テレビジョンを背面から見て示した斜視図である。
【図４】プラズマテレビジョンを背面から見て示した斜視図である。
【図５】液晶テレビジョンの背面内部における基板配置を模式的に示した図である。
【図６】プラズマテレビジョンの背面内部における基板配置を模式的に示した図である。
【図７】電源関係の回路の概略を示したブロック図である。
【符号の説明】
【００５５】
１０…チューナ
１０ａ…アンテナ
１２…映像信号処理回路
１４…入出力回路
１６…音声信号処理回路
１８…スピーカ
２０…電源回路
２２…整流回路
２２ａ…ＡＣ電源ケーブル
２４…インバータ回路
２６…液晶ディスプレイ（ＬＣＤ）
２８…メイン電源
３０…スキャン電圧生成回路
３２…サステイン電圧生成回路
３４…プラズマディスプレイパネル（ＰＤＰ）
１００…液晶テレビジョン
２００…プラズマテレビジョン
【図１】
2008078748.tif 000003
【図２】
2008078748.tif 000004
【図３】
2008078748.tif 000005
【図４】
2008078748.tif 000006
【図５】
2008078748.tif 000007
【図６】
2008078748.tif 000008
【図７】
2008078748.tif 000009